(57)【特許請求の範囲】
【請求項１】
背ボトムを回転駆動する駆動軸と膝ボトムを回転駆動する駆動軸の夫々に押上腕と連動腕を設けると共に，それらの連動腕間に連動リンクを連結して，背ボトムの回転駆動に連動して膝ボトムを回転駆動可能に構成したベッドにおいて，背ボトム側と膝ボトム側の夫々の押上腕は，夫々のボトムと同方向に回転駆動する配置とし，背ボトム側の連動腕は駆動軸に対して上方側に突設すると共に，膝ボトム側の連動腕は駆動軸に対して下方側に突設し，連動リンクの膝ボトム側端部には，その長さ方向に連結スリットを設けて膝ボトム側の連動腕に設けた連動軸を移動可能に係合すると共に，連動リンクには，前記連動軸に係合する移動阻止部材を操作可能に構成し，この移動阻止部材は，上下方向に回動自在で，回動操作用の操作部材を設けた回動片の先端側に前記連動軸に係合する係合凹部を設けた構成とし，前記操作部材により前記回動片を一方向に回動して一方側に自重により落下させることにより，前記係合凹部を連動軸との係合位置にもたらし，また前記操作部材により前記回動片を逆方向に回動して他方側に自重により落下させることにより，前記係合凹部を前記係合位置から外した位置に支持する構成とし、前記操作部材は，前記回動片の横方向に突出する棒状の構成とし，前記連動リンクには，前記回動片を逆方向に回動して自重により落下させた状態において，前記操作部材を係合する係合凹部を設けたことを特徴とする背膝ボトム連動機構。
【発明の詳細な説明】
【技術分野】
【０００１】
本発明は，ベッドにおける背膝ボトム連動機構に関するものである。
【背景技術】
【０００２】
現在，医療用や家庭用のベッドとしては，背ボトムや膝ボトムを回動させて起伏可能とすることにより，ボトム上の使用者を，場合に応じて好適な姿勢で支持するように構成したものが幅広く使用されている。
【０００３】
例えば特許文献１には背ボトムや膝ボトムを連動させる機構が記載されている。これを図１０、図１１を参照して説明すると、この連動機構は、床支持フレーム１０１に支持された背ボトム１０２を回転駆動する駆動軸１０５ａと膝ボトム１０３を回転駆動する駆動軸１０５ｂの夫々に押上腕１０６ａ，１０６ｂと連動腕１０７ａ，１０７ｂを設けると共に，それらの連動腕１０７ａ，１０７ｂ間に連動リンク１０８を連結したものである。符号１０４は膝ボトム１０３の端部に連結した足ボトムである。
【０００４】
この機構において、背ボトム１０２側の押上腕１０６ａは背ボトム１０２と同方向に回転駆動する配置としているが、膝ボトム１０３の押上腕１０６ｂは膝ボトム１０３と逆方向に回転駆動する配置としており、連動腕１０７ａ，１０７ｂはいずれも駆動軸１０５ａ，１０５ｂの下側に構成している。
【０００５】
以上の構成においては、押上腕１０６ａにより背ボトム１０２を回動上昇させると、連動腕１０７ａにより連動リンク１０８が引っ張られ、駆動軸１０５ｂが駆動軸１０５ａと同方向に回動することにより、押上腕１０６ｂが回動上昇し、こうして図１１に示されるように膝ボトム１０３が背ボトム１０２の回動上昇に連動して回動上昇する。
【０００６】
尚、従来技術として、以上のような背ボトムと膝ボトムの連動をばね等を用いた操作機構により選択的に解除可能な機構も提案されている。
【特許文献１】特開２００４−１６６３５号公報
【発明の開示】
【発明が解決しようとする課題】
【０００７】
以上の構成において，膝ボトム側の押上腕は，背ボトムとは逆に、膝ボトムの回動と逆方向に回転駆動するように駆動軸の上方に突設しているため、膝ボトムを回転駆動するための部材は，押上腕を突設している駆動軸が最もベッドの足側に位置し，押上腕は，それよりも頭側に位置するので，背ボトムと膝ボトムを連動させるための機構が大きなスペースを占有してしまっている。
【０００８】
また背ボトムと膝ボトムの連動を選択的に解除可能な従来の操作機構では、ばね等の部品を用いているので、部品点数が多いという課題があった。
本発明は，以上の課題を解決することを目的とするものである。
【課題を解決するための手段】
【０００９】
上述した課題を解決するために、本発明では、背ボトムを回転駆動する駆動軸と膝ボトムを回転駆動する駆動軸の夫々に押上腕と連動腕を設けると共に，それらの連動腕間に連動リンクを連結して，背ボトムの回転駆動に連動して膝ボトムを回転駆動可能に構成したベッドにおいて，背ボトム側と膝ボトム側の夫々の押上腕は，夫々のボトムと同方向に回転駆動する配置とし，背ボトム側の連動腕は駆動軸に対して上方側に突設すると共に，膝ボトム側の連動腕は駆動軸に対して下方側に突設し，連動リンクの膝ボトム側端部には，その長さ方向に連結スリットを設けて膝ボトム側の連動腕に設けた連動軸を移動可能に係合すると共に，連動リンクには，前記連動軸に係合する移動阻止部材を操作可能に構成し，この移動阻止部材は，上下方向に回動自在で，回動操作用の操作部材を設けた回動片の先端側に前記連動軸に係合する係合凹部を設けた構成とし，前記操作部材により前記回動片を一方向に回動して一方側に自重により落下させることにより，前記係合凹部を連動軸との係合位置にもたらし，また前記操作部材により前記回動片を逆方向に回動して他方側に自重により落下させることにより，前記係合凹部を前記係合位置から外した位置に支持する構成とした背膝ボトム連動機構を提案する。
【００１０】
また本発明では、上記の構成において、操作部材は，回動片の横方向に突出する棒状の構成とし，連動リンクには，回動片を逆方向に回動して自重により落下させた状態において，前記操作部材を係合する係合凹部を設けた背膝ボトム連動機構を提案する。
【発明の効果】
【００１１】
本発明の背膝ボトム連動機構では，背ボトム側と膝ボトム側の夫々の押上腕は，夫々のボトムと同方向に回転駆動する配置とし，背ボトム側の連動腕は駆動軸に対して上方側に突設すると共に，膝ボトム側の連動腕は駆動軸に対して下方側に突設した構成であるので，背ボトムの回動上昇に伴って連動リンクが膝ボトム方向に移動して駆動軸を回転し，押上腕により膝ボトムを回動上昇する。
【００１２】
膝ボトム側の押上腕は，背ボトムと同様にボトムと同方向に回転駆動するように駆動軸の上方に突設しており，また連動腕は駆動軸の下方に突設しているため，膝ボトムを回転駆動するための部材は，押上腕が最もベッドの足側に位置し，駆動軸や連動腕は，それよりも頭側に位置するので，背ボトムと膝ボトムを連動させるための機構を省スペースで構成することができる。
【００１３】
また本発明の背膝ボトム連動機構において，連動リンクの膝ボトム側端部には，その長さ方向に連結スリットを設けて膝ボトム側の連動腕に設けた連動軸を移動可能に係合すると共に，連動リンクには，連動軸に係合する移動阻止部材を操作可能に構成しているため，移動阻止部材を操作して連動軸を連結スリットに対して移動不能とすることにより上述した背ボトムと膝ボトムの連動を行えると共に，移動阻止部材を操作して連動軸を連結スリットに対して移動可能とすることにより，膝ボトムを背ボトムと連動させないように動作させることができる。
【００１４】
移動阻止部材としては，その自重により移動阻止状態に移行することができるようにすることにより，ばね等の部品が不要となって部品点数を削減することができる。
【発明を実施するための最良の形態】
【００１５】
次に本発明の背膝ボトム連動機構の実施の形態を図１〜図９を参照して説明する。
図において，符号１はベッドフレームであり，このベッドフレーム１に背ボトム２と膝ボトム３を回動昇降可能に支持している。また膝ボトム３の端部には足ボトム４を連結している。符号５ａ，５ｂは，夫々背ボトム２と膝ボトム３の駆動軸を示すもので，背ボトム２を回転駆動する駆動軸５ａと膝ボトム３を回転駆動する駆動軸５ｂの夫々に押上腕６ａ，６ｂと連動腕７ａ，７ｂを設けている。そして，背ボトム２側と膝ボトム３側の夫々の押上腕６ａ，６ｂは，夫々のボトム２、３と同方向に回転駆動する配置としている。また背ボトム２側の連動腕７ａは駆動軸５ａに対して、押上腕６ａと同様に上方側に突設すると共に，膝ボトム３側の連動腕７ｂは駆動軸５ｂに対して、押上腕６ｂとは逆に下方側に突設している。そしてこれらの連動腕７ａ，７ｂ間に連動リンク８を連結している。
【００１６】
連動リンク８の背ボトム２側端部は連動腕７ａに回動可能に連結している。一方、連動リンク８の膝ボトム３側端部には，その長さ方向に連結スリット９を設けて、膝ボトム３側の連動腕７ｂに設けた連動軸１０を移動可能に係合すると共に，連動リンク８には，連動軸１０に係合する移動阻止部材１１を操作可能に構成している。
【００１７】
移動阻止部材１１の実施の形態の詳細を説明すると、この移動阻止部材１１は、前側に係合凹部１２を設けた回動片として構成しており，自重により移動阻止位置まで回動し，操作部材１３により移動阻止位置から離す構成としている。この実施の形態においては、連動リンク８の少なくとも膝ボトム３側の端部は、上方に開口を向けた溝形形状に構成しており、移動阻止部材１１は、溝形形状の溝内に自重により回動下降して連動軸１０との係合位置にもたらされるように構成されている。そして移動阻止部材１１を係合位置から外す操作は棒状の操作部材１３によって可能であり、係合位置から外した位置において安定的に支持するための係合凹部１４を連動リンク８に設けている。
【００１８】
尚、符号１５は背ボトム２側の駆動軸５ａを回動駆動するための駆動腕であり、この駆動腕１５には図示を省略している直動アクチュエータを伸長駆動又は短縮駆動式に連結するものである。また符号１６は膝ボトム３側の押上腕６ｂの端部に構成したローラーである。
【００１９】
以上の構成において、ボトムが水平な状態に対応する図３の状態において、操作部材１３により、移動阻止部材１１を時計回りに回動して自重により落下させた状態、即ち、図１、図２、図３、図６、図８に示す状態では、これらの図に示すように、移動阻止部材１１の先端の係合凹部１２が、連動腕７ｂの連結軸１０の前方、即ち、図中左側に位置している。
【００２０】
そこで、図３の状態において、駆動腕１５により駆動軸５ａを図中時計回りに回動すると、押上腕６ａが同方向に回動して図１に示すように背ボトム２を傾斜状態に回動上昇する。この際、駆動軸５ａに対して上方側に突設した連動腕７ａは、その回動により連動リンク８を押動、即ち、図中右方向に移動する。
【００２１】
連動腕７ｂの連動軸１０は連動リンク８の連結スリット９に沿って移動可能であるが、連動軸１０の左側には移動阻止部材１１の係合凹部１２が位置しているので、連動軸１０は移動阻止部材１１によって押動されて、従って駆動軸５ｂは図中反時計回りに回動する。そして駆動軸５ｂにより押上腕６ｂが反時計回りに回動して、膝ボトム３を同様に反時計回りに回動させて上昇させ、図１、図２の状態に至る。
【００２２】
上述と逆に図１、図２の状態において駆動軸５ａを図中反時計回りに回動すると、上述と逆の経過を辿って背ボトム２と膝ボトム３を連動して下降することができる。
【００２３】
次にボトムが水平な状態に対応する図３の状態において、操作部材１３により、移動阻止部材１１を反時計回りに回動して、自重により落下させた状態から図４、図５、図７、図９に示すように係合凹部１４に係合させた状態においては、連動腕７ｂの連動軸１０は連動リンク８の連結スリット９に沿って自由に移動可能となる。
【００２４】
そこで図４の状態において、駆動腕１５により駆動軸５ａを図中時計回りに回動し、上述と同様に背ボトム２を傾斜状態に回動上昇する際、連動腕７ａの回動により連動リンク８が押動されて図中右方向に移動するが、連動腕７ｂの連動軸１０は連動リンク８の連結スリット９に沿って相対的に移動するだけで、連動リンク８から力を受けない。
【００２５】
このため図５に示すように、背ボトム２は回動上昇して傾斜状態となるが、膝ボトム３は水平位置に維持される。
【００２６】
図からも分かるとおり、膝ボトム３側の押上腕６ｂは，背ボトム２と同様にボトムと同方向に回転駆動するように駆動軸５ｂの上方に突設しており，そして連動腕７ｂは駆動軸５ｂの下方に突設しているため，膝ボトム３を回転駆動するための部材は，押上腕６ｂが最もベッドの足側に位置し，駆動軸５ｂや連動腕７ｂは，それよりも頭側に位置するので，背ボトム２と膝ボトム３を連動させるための機構を省スペースで構成することができる。
【００２７】
そして連動リンク８の膝ボトム側端部には，その長さ方向に連結スリット９を設けて膝ボトム３側の連動腕７ｂに設けた連動軸１０を移動可能に係合すると共に，連動リンク８には，連動軸１０に係合する移動阻止部材１１を操作可能に構成しているため，移動阻止部材１１を操作して連動軸１０を連結スリット９に対して移動不能とすることにより上述した背ボトム２と膝ボトム３の連動を行えると共に，移動阻止部材１１を操作して連動軸１０を連結スリット９に対して移動可能とすることにより，膝ボトム３を背ボトム２と連動させないように動作させることができる。
【００２８】
移動阻止部材１１としては，その自重により移動阻止状態に移行することができるようにすることにより，ばね等の部品が不要となって部品点数を削減することができる。
【産業上の利用可能性】
【００２９】
以上のとおり，本発明の背膝ボトム連動機構は，上述したような数々の利点があり、医療用や家庭用のベッド等に利用して、産業上の利用可能性が大である。
【図面の簡単な説明】
【００３０】
【図１】本発明の実施の形態の全体構成を示す模式的側面図である。
【図２】図１の要部模式的側面図である。
【図３】図２とは別の局面で示した模式的側面図である。
【図４】以上とは異なった局面において示す模式的側面図である。
【図５】以上とは更に異なった局面において示す模式的側面図である。
【図６】移動阻止部材の動作を示す模式的要部側面図である。
【図７】図６とは異なった局面において移動阻止部材の動作を示す模式的要部側面図である。
【図８】移動阻止部材の動作を示す模式的要部斜視図である。
【図９】図６とは異なった局面において移動阻止部材の動作を示す模式的要部斜視図である。
【図１０】従来の背膝ボトム連動機構の構成、動作を示す模式的側面図である。
【図１１】従来の背膝ボトム連動機構の構成、動作を他の局面において示す模式的側面図である。
【符号の説明】
【００３１】
１              ベッドフレーム
２              背ボトム
３              膝ボトム
４              足ボトム
５ａ，５ｂ      駆動軸
６ａ，６ｂ      押上腕
７ａ，７ｂ      連動腕
８              連動リンク
９              連結スリット
１０            連動軸
１１            移動阻止部材
１２            係合凹部
１３            操作部材
１４            係合凹部
１５            駆動腕
１６            ローラー
【図１】
0005024887.tif 000002
【図２】
0005024887.tif 000003
【図３】
0005024887.tif 000004
【図４】
0005024887.tif 000005
【図５】
0005024887.tif 000006
【図６】
0005024887.tif 000007
【図７】
0005024887.tif 000008
【図８】
0005024887.tif 000009
【図９】
0005024887.tif 000010
【図１０】
0005024887.tif 000011
【図１１】
0005024887.tif 000012